(57)【特許請求の範囲】
【請求項１】
ベースに搭載されて該ベースに対して左右方向に相対移動可能であると共にその相対移動範囲が移動制限位置で制限されている架台と、前記架台に搭載されて該架台に対して基準位置を中心として所定範囲内で左右方向に自動的に相対移動される測定ヘッド部とを有する眼科装置において、
前記架台が左右方向のいずれか一方に移動されて該架台が前記移動制限位置に位置したときに、前記架台に対する前記測定ヘッド部の基準位置が、前記架台の移動方向にシフトされることを特徴とする眼科装置。
【請求項２】
ベースに搭載されて該ベースに対して左右方向に相対移動可能であると共にその相対移動範囲が移動制限位置で制限されている架台と、前記架台に搭載されて該架台に対して基準位置を中心として所定範囲内で左右方向に自動的に相対移動される測定ヘッド部とを有する眼科装置において、
前記架台の左右方向の移動により右眼の測定であるか左眼の測定であるかを判定する左右判定スイッチを有し、該左右判定スイッチに基づき左眼測定と判断したときは前記架台に対する前記測定ヘッド部の基準位置を被検者から見て左方向にシフトさせ、右眼測定と判断したときは前記架台に対する前記測定ヘッド部の基準位置を被検者から見て右にシフトさせることを特徴とする眼科装置。
【請求項３】
前記架台に対して前記測定ヘッド部の基準位置を前記架台の移動方向にシフトさせたときに、検者にその旨を報知する報知手段が設けられていることを特徴とする請求項１に記載の眼科装置。
【請求項４】
前記架台に対して前記測定ヘッド部の基準位置を前記架台の移動方向にシフトさせる前に、前記測定ヘッド部が前記被検眼から一度遠ざかる方向に駆動されることを特徴とする請求項１に記載の眼科装置。
【請求項５】
前記移動制限位置に位置したときに、検者にその旨を警告することを特徴とする請求項１に記載の眼科装置。
【請求項６】
ベースに搭載されて該ベースに対して左右方向に相対移動可能であると共にその相対移動範囲が移動制限位置で制限されている架台と、前記架台に搭載されて該架台に対して基準位置を中心として所定範囲内で左右方向に自動的に相対移動される測定ヘッド部とを有する眼科装置において、
前記架台の移動方向を検出する移動方向検出手段を有し、該移動方向検出手段に基づき前記架台の移動方向が左方向と判断されたときは前記架台に対する前記測定ヘッド部の基準位置を左方向にシフトさせ、右方向と判断されたときは前記架台に対する前記測定ヘッド部の基準位置を右にシフトさせることを特徴とする眼科装置。
【発明の詳細な説明】
【０００１】
【発明の属する技術分野】
本発明は、ベースに搭載されて該ベースに対して左右方向に相対移動可能であると共にその相対移動範囲が制限されている架台と、前記架台に搭載されて該架台に対して基準位置を境に左右方向に所定範囲内で自動的に相対移動される測定ヘッド部とを有する眼科装置の改良に関する。
【０００２】
【従来の技術】
眼科装置、例えば、眼圧計では、ベースに搭載されて該ベースに対して左右方向に相対移動可能であると共にその相対移動範囲が制限されている架台と、前記架台に搭載されて該架台に対して基準位置を境に左右方向に所定範囲内で自動的に相対移動される測定ヘッド部とを有するものが知られている。
【０００３】
このものでは、ベースに対して架台を前後に移動させると共に左右方向に移動させて概略のアライメントを行い、被検眼がオートアライメント範囲内に入ると測定ヘッド部が自動的に基準位置に対して所定範囲内で駆動されて、自動的に眼圧測定が実行されるようになっている。
【０００４】
【発明が解決しようとする課題】
しかしながら、従来の眼科測定装置では、その架台の左右方向の相対移動範囲は限られており、左右方向いっぱいに架台を移動させたとしても、測定ヘッド部がオートアライメント範囲に入らず、測定できない場合があった。
【０００５】
このようなことは、例えば、装置本体に対して正しく被検者の顔が向けられていない場合等に起こり、このような場合には、装置本体に対して顔が正しく向けられるように被検者に注意を促しており、面倒である。また、被検者の眼幅が広すぎる場合にも、測定できない場合が生じる。
【０００６】
そこで、架台のベースに対する左右方向の相対移動範囲を拡大することが考えられるが、このような構成を採用すると、眼科装置の占有するスペースが大きくなり好ましくない。
【０００７】
本発明は、上記の事情に鑑みて為されたもので、その目的とするところは、ベースに対して架台の左右方向の相対移動範囲が制限されている場合であっても、装置本体の占有スペースを拡大することなくかつ被検者に無用の負担をかけることなく測定を続行できる眼科装置を提供する。
【０００８】
【課題を解決するための手段】
請求項１に記載の眼科装置は、ベースに搭載されて該ベースに対して左右方向に相対移動可能であると共にその相対移動範囲が移動制限位置で制限されている架台と、前記架台に搭載されて該架台に対して基準位置を中心として所定範囲内で左右方向に自動的に相対移動される測定ヘッド部とを有し、前記架台が左右方向のいずれか一方に移動されて該架台が前記移動制限位置に位置したときに、前記架台に対する前記測定ヘッド部の基準位置が、前記架台の移動方向にシフトされることを特徴とする。
【０００９】
また、請求項２に記載の眼科装置は、ベースに搭載されて該ベースに対して左右方向に相対移動可能であると共にその相対移動範囲が移動制限位置で制限されている架台と、前記架台に搭載されて該架台に対して基準位置を中心として所定範囲内で左右方向に自動的に相対移動される測定ヘッド部とを有し、前記架台の左右方向の移動により右眼の測定であるか左眼の測定であるかを判定する左右判定スイッチが設けられ、該左右判定スイッチに基づき左眼測定と判断したときは前記架台に対する前記測定ヘッド部の基準位置を被検者から見て左方向にシフトさせ、右眼測定と判断したときは前記架台に対する前記測定ヘッド部の基準位置を被検者から見て右にシフトさせることを特徴とする。
【００１０】
請求項３に記載の眼科装置は、前記架台に対して前記測定ヘッド部の基準位置を前記架台の移動方向にシフトさせたときに、検者にその旨を報知する報知手段が設けられていることを特徴とする。
【００１１】
請求項４に記載の眼科装置は、前記架台に対して前記測定ヘッド部の基準位置を前記架台の移動方向にシフトさせる前に、前記測定ヘッド部が前記被検眼から一度遠ざかる方向に駆動されることを特徴とする。
【００１２】
請求項５に記載の眼科装置は、前記移動制限位置に位置したときに、検者にその旨を警告することを特徴とする。
【００１３】
請求項６に記載の眼科装置は、ベースに搭載されて該ベースに対して左右方向に相対移動可能であると共にその相対移動範囲が移動制限位置で制限されている架台と、前記架台に搭載されて該架台に対して基準位置を中心として所定範囲内で左右方向に自動的に相対移動される測定ヘッド部とを有し、前記架台の移動方向を検出する移動方向検出手段が設けられ、該移動方向検出手段に基づき前記架台の移動方向が左方向と判断されたときは前記架台に対する前記測定ヘッド部の基準位置を左方向にシフトさせ、右方向と判断されたときは前記架台に対する前記測定ヘッド部の基準位置を右にシフトさせることを特徴とする。
【００１４】
【発明の実施の形態】
[発明の実施の形態１]
図１〜図３において、２は眼科装置としての非接触式眼圧計である。この非接触式眼圧計２は装置本体２Ａと顔受け部材２Ｂとから大略なっている。
【００１５】
装置本体２Ａはベース３、架台４、測定ヘッド部５を有する。架台４の背面部には表示部６とコントロールレバー７とが設けられている。測定ヘッド部５には公知の被検眼アライメント用の光学系及び空気パルス噴射手段（図示を略す）が設けられている。
【００１６】
その架台４はベース３に対して前後方向（Ｚ方向）、左右方向（Ｘ方向）に相対移動可能である。この架台４には測定ヘッド部５を上下方向（Ｙ方向）に駆動する測定ヘッド部上下移動モータ８が設けられている。この測定ヘッド部上下移動モータ８の出力軸９にはテーブル１０が設けられ、このテーブル１０には測定ヘッド部５を左右方向に移動させる測定ヘッド部左右方向移動モータ１２とテーブル１３とが設けられている。テーブル１３にはスライドテーブル１４が左右方向にスライド可能に設けられている。
【００１７】
スライドテーブル１４にはラック１５が形成され、測定ヘッド部左右方向移動モータ１２の出力軸にはピニオン１６が取り付けられ、ピニオン１６とラック１５との噛み合いによって、スライドテーブル１４は左右方向にスライドされる。
【００１８】
スライドテーブル１４には測定ヘッド部５を前後方向に移動させる測定ヘッド部前後移動モータ１７とテーブル１８とが設けられている。測定ヘッド部５はそのテーブル１８に前後方向にスライド可能に搭載されている。測定ヘッド部５にはラック１９が形成され、測定ヘッド部前後移動モータ１７の出力軸にはピニオン２０が取り付けられ、ピニオン２０とラック１９との噛み合いによって、測定ヘッド部５は前後方向にスライドされる。
【００１９】
その装置本体２Ａは図４に示すコントロールプリントサーキット基板２１を有し、このコントロールプリントサーキット基板２１はコントロールレバー７の回転操作（図１の矢印Ａ−Ａ方向の回転操作）を検出して測定ヘッド部上下移動モータ８を駆動する。コントロールレバー７の左右方向の傾動操作（図３の矢印Ｂ−Ｂ方向の傾動操作）により架台４をベース３に対して架台４を左右方向に移動させ、コントロールレバー７の前後方向の傾動操作（図２の矢印Ｃ−Ｃ方向の傾動操作）により、架台４をベース３に対して移動させる。
【００２０】
その架台４にはこの架台４の左右方向の移動を制限する架台移動制限手段２４、２４が設けられている。その架台４は図３に示すようにその基準位置Ｏ１を中心にして移動制限位置Ｏ２、Ｏ３の範囲内で左右方向に往復動可能である。測定ヘッド部５は図３に示すようにその基準位置Ｈ１を中心にして制限位置Ｈ２、Ｈ３の範囲（オートアライメント範囲）内で左右方向に自動的に往復動される。
【００２１】
顔受け部材２Ｂは顎受け２２と額当て２３とから大略構成され、被検者は装置本体２に対して顔を固定して眼圧検査を受ける。
【００２２】
被検者の被検眼Ｅを測定するときに、架台４を手動で前後左右方向に移動させると共に、コントロールレバー７を回転させて測定ヘッド部５を上下方向に移動させて、被検者に対する装置本体を粗アライメントする。粗アライメントが完了すると、アライメント用光学系が被検眼Ｅに対する測定ヘッド部５の相対位置を検出して、測定ヘッド部５が自動的に前後左右上下方向に駆動されて、自動的に測定が行われる。
【００２３】
被検者によっては、架台４を左側いっぱい又は右側いっぱいに移動させたとしても、粗アライメントができない場合がある。このような場合には、架台移動制限検知手段である左制限・右制限判定スイッチ２４ａがその架台４が移動制限位置に達したことを検出すると、コントロールプリントサーキット基板２１は、その架台４に対する測定ヘッド部５をその基準位置Ｈ１から基準位置Ｈ４又は基準位置Ｈ５にシフトする。
【００２４】
なお、架台移動制限検知手段である左制限・右制限判定スイッチ２４ａは反射型のフォトインタラプタやマイクロスイッチ等で架台４がベース３から左右方向に移動し、架台移動制限検知手段である左制限・右制限判定スイッチ２４ａがベース３上から離れたことを検知する。
【００２５】
すなわち、右側の被検眼を測定するために、架台４を左側にいっぱいに移動させて架台４が移動制限位置に達したときには、測定ヘッド部５の基準位置Ｈ１を基準位置Ｈ１から基準位置Ｈ４にシフトさせて、測定ヘッド部５を自動的に駆動し、左側の被検眼を測定するために、架台４を右側にいっぱいに移動させて架台４が移動制限位置に達したときには、測定ヘッド部５の基準位置Ｈ１を基準位置Ｈ１から基準位置Ｈ５にシフトさせて、測定ヘッド部５を自動的に駆動する。
【００２６】
この基準位置を変更するときには、測定ヘッド部５をいったん後退させるようにすると、測定ヘッド部５が被検者の顔に当たるのを確実に避けつつ基準位置を変更できるので望ましい。
【００２７】
また、その際に、コントロールプリントサーキット基板２１は、測定ヘッド部５の基準位置を変更したことを検者に報知する。その報知手段には、例えば、表示部６を用いる。
【００２８】
このように構成すると、装置本体に対して正しく被検者の顔が向くように、被検者の顔の位置を変更しなくとも測定できる。
【００２９】
なお、この発明の実施の形態１では、測定ヘッド部５の基準位置を変更したことを検者に報知する構成としたが、測定ヘッド部５が移動制限位置に達したことを報知する構成としても良い。
[発明の実施の形態２]
図５は本発明の実施の形態２の説明図であって、ここでは、架台４が移動制限位置を検出して測定ヘッド部５の基準位置を変更する代わりに、装置本体２Ａに左眼を測定するのか右眼を測定するのかを判定する左右判定スイッチ２５を設け、この左右判定スイッチ２５によって、測定ヘッド部５の基準位置を変更する構成としたものである。
【００３０】
以上、発明の実施の形態について説明したが、架台４の移動方向を検出して、測定ヘッド部５の基準位置をシフトさせるようにしても良い。
【００３１】
【発明の効果】
本発明は、ベースに対して架台の左右方向の相対移動範囲が制限されている場合であっても、装置本体の占有スペースを拡大することなくかつ被検者に無用の負担をかけることなく測定を続行でき、測定の迅速化を図ることができる。
【図面の簡単な説明】
【図１】  本発明に係わる眼科装置の斜視図である。
【図２】  図１に示す眼科装置の内部構成を示す概略図である。
【図３】  本発明に係わる眼科装置を検者側から見た正面図である。
【図４】  本発明に係わる眼科装置の制御回路のブロック図である。
【図５】  本発明に係わる眼科装置の制御回路の他の例を示すブロック図である。
【符号の説明】
３  ベース
４  架台
５  測定ヘッド部
Ｈ１  基準位置
Ｏ２、Ｏ３  移動制限位置
【図１】
0004397489.tif 000002
【図２】
0004397489.tif 000003
【図３】
0004397489.tif 000004
【図４】
0004397489.tif 000005
【図５】
0004397489.tif 000006